(57)【要約】【課題】ユーザの視聴状況に適したオフタイマ機能を低コストで実現することができ、これにより省電力化をより図ることができる映像表示装置を提供する。【解決手段】テレビジョン受像機１００において、キー入力部１はユーザによるキー入力を受け付け、オフタイマ設定手段（オフタイマ設定プログラム１３４ａ等）により、電源が自動的にオフされるオフタイマが設定され、記憶手段（記憶プログラム１３４ｂ等）により、オフタイマ設定手段によるオフタイマの設定後に、キー入力部１において行われた最終キー入力時間が記憶され、オフタイマ制御手段（オフタイマ制御プログラム１３４ｃ等）により、記憶手段により記憶された最終キー入力時間を基準に、映像表示部１１により表示される映像及び／又は音声出力部１２により出力される音声の出力レベルが段階的に低減されることにより、消費電力が低下される。【選択図】図１
2008103934.tif 000002
【特許請求の範囲】
【請求項１】
映像を表示する映像表示部と、音声を出力する音声出力部と、を備える映像表示装置において、
ユーザによるキー入力を受け付けるキー入力部と、
電源が自動的にオフされるオフタイマを設定するオフタイマ設定手段と、
前記オフタイマ設定手段による前記オフタイマの設定後に、前記キー入力部において行われた、映像切換のための最終キー入力時間と、音量調節のための最終キー入力時間と、をそれぞれ個別に記憶する記憶手段と、
前記オフタイマ設定手段による前記オフタイマの設定がなされた場合に、前記記憶手段により記憶された前記映像切換のための最終キー入力時間を基準に、前記映像表示部により表示される映像の出力レベルを段階的に低減させ、前記記憶手段により記憶された前記音量調節のための最終キー入力時間を基準に、前記音声出力部により出力される音声の出力レベルを段階的に低減させることにより、消費電力を低下させるオフタイマ制御手段と、
を備え、
前記オフタイマ制御手段は、電源が自動的にオフされる以前であって、前記記憶手段により記憶された前記最終キー入力時間に基づく所定の時間に、電源がオフされる旨を前記映像表示部に表示させ、前記映像表示部に電源がオフされる旨が表示されてから所定時間以内に、前記キー入力部によるキー入力が無い場合に、前記オフタイマ設定手段により設定されたオフタイマの設定時間よりも前に電源をオフさせることを特徴とする映像表示装置。
【請求項２】
映像を表示する映像表示部と、音声を出力する音声出力部と、を備える映像表示装置において、
ユーザによるキー入力を受け付けるキー入力部と、
電源が自動的にオフされるオフタイマを設定するオフタイマ設定手段と、
前記オフタイマ設定手段による前記オフタイマの設定後に、前記キー入力部において行われた最終キー入力時間を記憶する記憶手段と、
前記オフタイマ設定手段による前記オフタイマの設定がなされた場合に、前記記憶手段により記憶された前記最終キー入力時間を基準に、前記映像表示部により表示される映像及び／又は前記音声出力部により出力される音声の出力レベルを段階的に低減させることにより、消費電力を低下させるオフタイマ制御手段と、
を備えることを特徴とする映像表示装置。
【請求項３】
前記記憶手段は、前記キー入力部において行われた、映像切換のための最終キー入力時間と、音量調節のための最終キー入力時間と、をそれぞれ個別に記憶し、
前記オフタイマ制御手段は、
前記記憶手段により記憶された前記映像切換のための最終キー入力時間を基準に、前記映像表示部により表示される映像の出力レベルを段階的に低減させ、前記記憶手段により記憶された前記音量調節のための最終キー入力時間を基準に、前記音声出力部により出力される音声の出力レベルを段階的に低減させることを特徴とする請求項２に記載の映像表示装置。
【請求項４】
前記オフタイマ制御手段は、電源が自動的にオフされる以前であって、前記記憶手段により記憶された前記最終キー入力時間に基づく所定の時間に、電源がオフされる旨を前記映像表示部に表示させ、前記映像表示部に電源がオフされる旨が表示されてから所定時間以内に、前記キー入力部によるキー入力が無い場合に、前記オフタイマ設定手段により設定されたオフタイマの設定時間よりも前に電源をオフさせることを特徴とする請求項２又は３に記載の映像表示装置。
【発明の詳細な説明】
【技術分野】
【０００１】
本発明は、オフタイマ機能を備える映像表示装置に関する。
【背景技術】
【０００２】
従来から、テレビジョン受像機において、ユーザが電源オフを行う時間を予め設定し、設定された時間になると自動的に電源がオフされるオフタイマ機能を備えるものが数多く開発されている。
例えば、特許文献１には、視聴映像そのものの表示形態、すなわち、入力映像信号の輝度、色、バックライト輝度、入力映像信号の大きさ、フレームレート等を、タイマー残時間に応じて可変とすることにより、オフタイマー時刻の到来を確実且つ明確に視聴者に報知することが可能な映像表示装置が開示されている。
また、例えば、特許文献２には、受像機のスイッチが切れる前に、画面に表示された画像の面積を縮小することにより、眠らずにいる視聴者に受像機のスイッチが切れることを確実に警告することができる電源自動遮断装置が開示されている。
さらに、例えば、特許文献３には、電源オフ直前に特定の画像を表示させて予告する映像機器のオフタイマー回路が開示されている。
【０００３】
しかしながら、上記特許文献１〜３に開示された技術では、視聴中のユーザに対して電源がオフされることを確実に知らせることが可能となるものの、ユーザが寝入る等して視聴しなくなった場合等に、ユーザの視聴状況に合わせて画面表示や音声出力を止めることは不可能である。そのため、ユーザが視聴を行っていない間の画面表示や音声出力にかかる電力が無駄になってしまうという問題があった。
そこで、例えば、特許文献４には、予め記憶させた任意の音量レベルに基づいて、オフタイマ設定時からの音量を段階的に自動的に下げることができるタイマが提案されている。
また、例えば、特許文献５に開示されたお休みタイマー付きテレビジョン受信機は、視聴者がＴＶ画面を見ているか否かの判断を視聴者の瞳部分の検出により行い、ユーザがＴＶ画面を見ずに音声のみを聞いている状況になった場合に、ＴＶ表示を止めて音声のみの出力に切換え、その後に音声を消すことにより、ＴＶ画面表示にかかる電力を削減することができる。
【特許文献１】特開２００４−９６１３６号公報
【特許文献２】特開平５−３０８５９７号公報
【特許文献３】特開平２−３０５１８８号公報
【特許文献４】特開平４−３５６８８０号公報
【特許文献５】特開２０００−１２５２２７号公報
【発明の開示】
【発明が解決しようとする課題】
【０００４】
しかしながら、特許文献４に開示されたタイマでは、オフタイマ設定時からの音量を段階的に自動的に下げる際のタイミングは視聴者が視聴しているか否かに関係なく予め設定されたタイミングで行っているので、視聴者の視聴状況に適したオフタイマ制御を行うことができないという問題があった。また、特許文献５に開示されたテレビジョン受像機は、視聴者がＴＶ画面を見ているか否かの判断を、視聴者の瞳部分の検出により行うため、コストが高くなるという問題があった。
【０００５】
本発明の課題は、ユーザの視聴状況に適したオフタイマ機能を低コストで実現することができ、これにより省電力化をより図ることができる映像表示装置を提供することである。
【課題を解決するための手段】
【０００６】
上記課題を解決するため、請求項１に記載の発明は、映像を表示する映像表示部と、音声を出力する音声出力部と、を備える映像表示装置において、
ユーザによるキー入力を受け付けるキー入力部と、
電源が自動的にオフされるオフタイマを設定するオフタイマ設定手段と、
前記オフタイマ設定手段による前記オフタイマの設定後に、前記キー入力部において行われた、映像切換のための最終キー入力時間と、音量調節のための最終キー入力時間と、をそれぞれ個別に記憶する記憶手段と、
前記オフタイマ設定手段による前記オフタイマの設定がなされた場合に、前記記憶手段により記憶された前記映像切換のための最終キー入力時間を基準に、前記映像表示部により表示される映像の出力レベルを段階的に低減させ、前記記憶手段により記憶された前記音量調節のための最終キー入力時間を基準に、前記音声出力部により出力される音声の出力レベルを段階的に低減させることにより、消費電力を低下させるオフタイマ制御手段と、
を備え、
前記オフタイマ制御手段は、電源が自動的にオフされる以前であって、前記記憶手段により記憶された前記最終キー入力時間に基づく所定の時間に、電源がオフされる旨を前記映像表示部に表示させ、前記映像表示部に電源がオフされる旨が表示されてから所定時間以内に、前記キー入力部によるキー入力が無い場合に、前記オフタイマ設定手段により設定されたオフタイマの設定時間よりも前に電源をオフさせることを特徴とする。
【０００７】
請求項２に記載の発明は、映像を表示する映像表示部と、音声を出力する音声出力部と、を備える映像表示装置において、
ユーザによるキー入力を受け付けるキー入力部と、
電源が自動的にオフされるオフタイマを設定するオフタイマ設定手段と、
前記オフタイマ設定手段による前記オフタイマの設定後に、前記キー入力部において行われた最終キー入力時間を記憶する記憶手段と、
前記オフタイマ設定手段による前記オフタイマの設定がなされた場合に、前記記憶手段により記憶された前記最終キー入力時間を基準に、前記映像表示部により表示される映像及び／又は前記音声出力部により出力される音声の出力レベルを段階的に低減させることにより、消費電力を低下させるオフタイマ制御手段と、
を備えることを特徴とする。
【０００８】
請求項３に記載の発明は、請求項２に記載の映像表示装置において、前記記憶手段は、前記キー入力部において行われた、映像切換のための最終キー入力時間と、音量調節のための最終キー入力時間と、をそれぞれ個別に記憶し、
前記オフタイマ制御手段は、
前記記憶手段により記憶された前記映像切換のための最終キー入力時間を基準に、前記映像表示部により表示される映像の出力レベルを段階的に低減させ、前記記憶手段により記憶された前記音量調節のための最終キー入力時間を基準に、前記音声出力部により出力される音声の出力レベルを段階的に低減させることを特徴とする。
【０００９】
請求項４に記載の発明は、請求項２又は３に記載の映像表示装置において、前記オフタイマ制御手段は、電源が自動的にオフされる以前であって、前記記憶手段により記憶された前記最終キー入力時間に基づく所定の時間に、電源がオフされる旨を前記映像表示部に表示させ、前記映像表示部に電源がオフされる旨が表示されてから所定時間以内に、前記キー入力部によるキー入力が無い場合に、前記オフタイマ設定手段により設定されたオフタイマの設定時間よりも前に電源をオフさせることを特徴とする。
【発明の効果】
【００１０】
請求項１に記載の発明によれば、キー入力部はユーザによるキー入力を受け付け、オフタイマ設定手段により、電源が自動的にオフされるオフタイマが設定され、記憶手段により、オフタイマ設定手段によるオフタイマの設定後に、キー入力部において行われた、映像切換のための最終キー入力時間と、音量調節のための最終キー入力時間と、がそれぞれ個別に記憶される。また、オフタイマ制御手段により、オフタイマ設定手段によるオフタイマの設定がなされた場合に、記憶手段により記憶された映像切換のための最終キー入力時間を基準に、映像表示部により表示される映像の出力レベルが段階的に低減され、記憶手段により記憶された音量調節のための最終キー入力時間を基準に、音声出力部により出力される音声の出力レベルが段階的に低減されることにより、消費電力が低下される。従って、オフタイマ設定後の過去のユーザの視聴状況に合わせたより細かいオフタイマ制御が行われることとなり、ユーザの視聴状況に適したオフタイマ機能を低コストで実現することができ、これにより省電力化をより図ることができる映像表示装置を提供することができる。
さらに、オフタイマ制御手段により、電源が自動的にオフされる以前であって、記憶手段により記憶された最終キー入力時間に基づく所定の時間に、電源がオフされる旨が映像表示部に表示され、映像表示部に電源がオフされる旨が表示されてから所定時間以内に、キー入力部によるキー入力が無い場合に、オフタイマ設定手段により設定されたオフタイマの設定時間よりも前に電源がオフされる。従って、より高い確率でユーザが眠った状態で電源をオフさせることができることとなって、電源が突然オフされることによりユーザに与え得る不快感を防止できるとともに、オフタイマの設定時間よりも前に電源がオフされることとなり、更なる消費電力の低減及びオフタイマ機能の使い勝手の向上を図ることができる。
【００１１】
請求項２に記載の発明によれば、キー入力部はユーザによるキー入力を受け付け、オフタイマ設定手段により、電源が自動的にオフされるオフタイマが設定され、記憶手段により、オフタイマ設定手段によるオフタイマの設定後に、キー入力部において行われた最終キー入力時間が記憶され、オフタイマ制御手段により、記憶手段により記憶された最終キー入力時間を基準に、映像表示部により表示される映像及び／又は音声出力部により出力される音声の出力レベルが段階的に低減されることにより、消費電力が低下される。
従って、オフタイマ設定後の過去のユーザの視聴状況に合わせたオフタイマ制御が行われることとなり、ユーザの視聴状況に適したオフタイマ機能を低コストで実現することができ、これにより省電力化をより図ることができる映像表示装置を提供することができる。
【００１２】
請求項３に記載の発明によれば、請求項２に記載の発明の効果が得られるのは無論のこと、記憶手段により、キー入力部において行われた、映像切換のための最終キー入力時間と、音量調節のための最終キー入力時間と、がそれぞれ個別に記憶され、オフタイマ制御手段により、記憶手段により記憶された映像切換のための最終キー入力時間を基準に、映像表示部により表示される映像の出力レベルが段階的に低減され、記憶手段により記憶された音量調節のための最終キー入力時間を基準に、音声出力部により出力される音声の出力レベルが段階的に低減される。
従って、オフタイマ設定後のユーザのより詳細な視聴状況に合わせたより細かいオフタイマ制御が行われることとなり、ユーザの視聴状況により適したオフタイマ機能を実現することができる。すなわち、例えば、ユーザが、初めに映像又は音声の一方のみを視聴する状態になり、その後に寝入る場合には、初めに映像の出力レベルを低減し、その後に音声の出力レベルを低減するオフタイマ制御を行うことにより、ユーザの視聴状況により適したオフタイマ制御を行うことができる。
【００１３】
請求項４に記載の発明によれば、請求項２又は３に記載の発明の効果が得られるのは無論のこと、オフタイマ制御手段により、電源が自動的にオフされる以前に、記憶手段により記憶された最終キー入力時間に基づく所定の時間に、電源がオフされる旨が映像表示部に表示され、映像表示部に電源がオフされる旨が表示されてから所定時間以内に、キー入力部によるキー入力が無い場合に、オフタイマ設定手段により設定されたオフタイマの設定時間よりも前に電源をオフさせることを特徴とする。
従って、より高い確率でユーザが眠った状態で電源をオフさせることができることとなって、電源が突然オフされることによりユーザに与え得る不快感を防止できるとともに、オフタイマの設定時間よりも前に電源がオフされることとなり、更なる消費電力の低減及びオフタイマ機能の使い勝手の向上を図ることができる。
【発明を実施するための最良の形態】
【００１４】
以下、図面を参照しながら、本発明の実施の形態を詳細に説明する。
なお、本実施形態では、映像表示装置としてテレビジョン受像機１００を例に挙げて説明を行う。
【００１５】
図１は、本実施形態におけるテレビジョン受像機１００の要部構成を例示するブロック図である。
図１に示すように、本テレビジョン受像機１００は、ユーザが遠隔操作によって各種指示を入力するためのキー入力部１と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ビデオデコーダ６により復号された映像信号に対して所定の処理を行う映像処理部８と、オーディオデコーダ７により復号された音声信号に対して所定の処理を行う音声処理部９と、映像処理部８により処理された映像信号にＯＳＤデータを付加するＯＳＤ回路１０と、映像処理部８により処理された映像信号を出力する映像表示部１１と、音声処理部９により処理された音声信号を出力する音声出力部１２と、テレビジョン受像機１００全体を統括制御する制御部１３と、を備えており、各部はバス１４により接続されている。
【００１６】
キー入力部１は、例えば、リモートコントローラ等であり、複数のキーを備え、ユーザによるキーの押下操作に応じて、当該押下されたキーに対応する入力操作信号を制御部１３に対して出力する。
具体的には、キー入力部１は、オフタイマ設定キー１ａを備えており、当該オフタイマ設定キー１ａの押下操作に応じて、オフタイマを設定するためのオフタイマ設定画面（後述）の表示を指示する入力操作信号が制御部１３に対して出力され、当該オフタイマ設定画面において設定されたオフタイマの設定に関するデータは、オフタイマ設定メモリ１３３ａ（後述）等の所定の記憶領域に記憶される。
また、キー入力部１は、映像切換を行うためのキーであるテンキー１ｂ及びチャンネルアップダウンキー１ｃと、音量調節を行うためのキーであるボリュームアップダウンキー１ｄと、等を備えている。
【００１７】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための制御部１３からの制御出力に応じて、特定周波数帯の中間周波信号（IF信号）を受信し、当該中間周波信号に所定の処理を行って復調部４に出力する。
【００１８】
復調部４は、例えば、制御部１３からの制御に基づいて、チューナ３から出力された中間周波信号に対してデジタル復調や誤り訂正などの処理を実行し、トランスポートストリーム（TS）を生成して、ＴＳデコーダ５に出力する。
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ６に、オーディオストリームをオーディオデコーダ７に出力し、さらに、ＰＳＩ／ＳＩ等のデータストリームを制御部１３に供給する。
【００１９】
ビデオデコーダ６は、ＴＳデコーダ５から入力されたビデオストリームを復号し、逆ＤＣＴ変換や動き補償制御等を行い、映像データを生成して映像処理部８に出力する。また、オーディオデコーダ７は、ＴＳデコーダ５から入力されたオーディオストリームを復号し、音声データを生成して音声処理部９に出力する。
【００２０】
映像処理部８は、ビデオデコーダ６から入力された映像データに対して、Ｄ／Ａ変換等の各種処理を施し、映像信号を生成する。また、音声処理部９は、オーディオデコーダ７から入力された音声データに対して、Ｄ／Ａ変換等の各種処理を施し、音声信号を生成する。生成された映像信号は映像表示部１１に出力され、音声信号は音声出力部１２に出力される。
ＯＳＤ回路１０は、制御部１３からの指示出力に応じて、ＲＯＭ１３４に格納された図示しないＯＳＤデータを、映像処理部８から出力された映像信号に合成する処理を行う。当該ＯＳＤ回路１０において、映像信号にＯＳＤデータが合成されることにより、映像表示部１１におけるＯＳＤ表示が実現されることとなる。
【００２１】
映像表示部１１は、例えば、ＬＣＤ（Liquid Crystal Display）、ＰＤＰ（Plasma Display Panel）等のディスプレイ１１ａを備え、映像処理部８から入力された映像信号に基づく映像を当該ディスプレイ１１ａに表示させる。
音声出力部１２は、例えば、スピーカ１２ａ等を備え、音声処理部９から入力された音声信号に基づく音声を当該スピーカ１２ａにより出力させる。
【００２２】
制御部１３は、ＣＰＵ（Central Processing Unit）１３１、ＲＡＭ（Random Access Memory）１３２、オフタイマ情報格納部１３３、ＲＯＭ（Read Only Memory）１３４等を備えて構成されている。
【００２３】
ＣＰＵ１３１は、テレビジョン受像機１００の各部から入力された入力信号に応じて、ＲＯＭ１３４に格納された各種プログラムを実行するとともに、実行にかかるプログラムに基づく出力信号を各部に出力することにより、テレビジョン受像機１００の動作全般を統括制御する。
【００２４】
ＲＡＭ１３２は、ＣＰＵ１３１のワークエリアとして用いられ、ＣＰＵ１３１によって各種プログラムが実行される際に生じる処理結果や、入力されたデータ等を一時的に記憶する。
【００２５】
オフタイマ情報格納部１３３は、例えば、ＥＰＲＯＭ（Erasable Programmable ROM）、フラッシュメモリ等の書き換え可能な半導体メモリから構成され、オフタイマ設定メモリ１３３ａと、最終キー入力時間保存テーブル１３３ｂと、出力低減時間格納メモリ１３３ｃと、等を備えている。
オフタイマ設定メモリ１３３ａは、例えば、後述するオフタイマ設定プログラム１３４ａの実行に際して、映像表示部１１に表示されるオフタイマ設定画面に基づいて、ユーザにより設定されるオフタイマの設定の有無や、オフタイマの設定時間を記憶する。
最終キー入力時間保存テーブル１３３ｂは、例えば、オフタイマ設定プログラム１３４ａの実行によりオフタイマが設定され、オフタイマ制御プログラム１３４ｃの実行によりオフタイマ制御が実行される際に、後述する記憶プログラム１３４ｂの実行により、オフタイマ制御中にユーザにより行われた最終キー入力時間を記憶する。
出力低減時間格納メモリ１３３ｃは、例えば、最終キー入力時間保存テーブル１３３ｂに基づいて、映像・音声の出力レベルを低減するタイミングである出力低減時間が特定されると、特定された出力低減時間を記憶する。
【００２６】
ＲＯＭ１３４は、例えば、ＣＰＵ１３１によって実行される各種制御プログラムや、プログラムの実行にかかる初期設定値等のデータを記憶する。具体的には、ＲＯＭ１３４は、オフタイマ設定プログラム１３４ａ、記憶プログラム１３４ｂ、オフタイマ制御プログラム１３４ｃ等の制御プログラムを格納している。
【００２７】
オフタイマ設定プログラム１３４ａは、例えば、ＣＰＵ１３１に、電源が自動的にオフされるオフタイマを設定する機能を実現させるためのプログラムである。
具体的には、ＣＰＵ１３１は、キー入力部１における前述したオフタイマ設定キー１ａの押下操作に応じて、オフタイマ設定画面の表示を指示する入力操作信号が制御部１３に対して出力されると、当該入力操作信号に基づいて、電源が自動的にオフされるオフタイマをユーザに設定させるためのオフタイマ設定画面を映像表示部１１のディスプレイ１１ａに表示させる。
図２は、オフタイマ設定プログラム１３４ａの実行に際して、映像表示部１１のディスプレイ１１ａに表示されるオフタイマ設定画面の一例である。図２に示すように、オフタイマ設定画面では、例えば、オフタイマの設定の有無が選択でき、さらに、オフタイマの設定時間を３０分、６０分、９０分、１２０分のうちから選択できるようになっている。当該オフタイマ設定画面において設定されたオフタイマの設定はオフタイマ設定メモリ１３３ａに記憶され、当該オフタイマ設定メモリ１３３ａに記憶された情報に基づいて、後述の記憶プログラム１３４ｂ及びオフタイマ制御プログラム１３４ｃが実行されることとなる。
ＣＰＵ１３１は、かかるオフタイマ設定プログラム１３４ａを実行することにより、オフタイマ設定手段として機能する。
【００２８】
記憶プログラム１３４ｂは、例えば、ＣＰＵ１３１に、オフタイマ設定プログラム１３４ａの実行によるオフタイマの設定後に、キー入力部１において行われた、映像切換のための最終キー入力時間と、音量調節のための最終キー入力時間と、をそれぞれ個別に記憶する機能を実現させるためのプログラムである。
ＣＰＵ１３１は、かかる記憶プログラム１３４ｂを実行することにより、記憶手段として機能する。
【００２９】
ここで、ＣＰＵ１３１による当該記憶プログラム１３４ｂの実行について、具体的に説明する。
図３は、最終キー入力時間を記憶する最終キー入力時間保存テーブル１３３ｂの一例である。図３に示すように、最終キー入力時間保存テーブル１３３ｂは、例えば、テンキー１ｂや、チャンネルアップダウンキー１ｃ等の映像切換のためのキーがオフタイマ制御中に最後に操作された時点のタイマ残り時間（映像切換のための最終キー入力時間）と、ボリュームアップダウンキー１ｄ等の音量調節のためのキーがオフタイマ制御中に最後に操作された時点のタイマ残り時間（音量調節のための最終キー入力時間）と、をそれぞれ別々に記憶するようになっている。最終キー入力時間は、例えば、５分単位のタイマ残り時間毎に、過去にその時間内に最終キー入力が行われた回数がカウントされる形で記憶される。当該最終キー入力時間保存テーブル１３３ｂによれば、過去のオフタイマ制御における時間帯別の最終キー入力状況が明らかとなり、よって、過去のオフタイマ制御におけるユーザの視聴状況の傾向を知ることが可能となる。
当該最終キー入力時間保存テーブル１３３ｂへの最終キー入力時間の記録は、後述するオフタイマ制御プログラム１３４ｃの実行によりオフタイマ制御が実行される度に行われる。具体的には、オフタイマ制御中に映像切換のためのキー入力又は音量調節のためのキー入力が行われると、当該キーの入力時間が最終キー入力時間としてＲＡＭ１３２等の所定の記憶領域に一旦記憶され、キー入力が行われる度に当該所定の記憶領域が更新される。そして、電源がオフされる前に、所定の記憶領域に記憶された映像切換のための最終キー入力時間と、音量調節のための最終キー入力時間とが、それぞれ個別に最終キー入力時間保存テーブル１３３ｂに記憶される。
【００３０】
さらに、上述したこのような最終キー入力時間のテーブルに基づいて、映像・音声の出力レベルを低減させるタイミングである出力低減時間が特定される。図４は、図３に例示した最終キー入力時間保存テーブル１３３ｂに基づいて特定された出力低減時間を記憶する出力低減時間格納メモリ１３３ｃの一例である。
図４に示すように、出力低減時間格納メモリ１３３ｃでは、例えば、映像表示部１１に表示される映像の出力レベルを低減させるタイミングとしての映像出力低減時間と、音声出力部１２により出力される音声の出力レベルを低減させるタイミングとしての音声出力低減時間と、がそれぞれ個別に特定されて記憶されるようになっている。
図４に示すように、ＣＰＵ１３１は、例えば、最終キー入力時間保存テーブル１３３ｂにおける映像切換のための最終キー入力時間の記録に基づいて、５分単位のタイマ残り時間のうち、過去にその時間内に最終キー入力が行われた回数が最も多い時間帯（例えば、図３の最終キー入力時間保存テーブル１３３ｂでは、タイマ残り時間が３０〜２５分の時間帯）が経過した時点（すなわち、例えば、タイマ残り時間が２５分の時点）を、１回目の映像出力低減時間と特定する。そして、１回目の映像出力低減時間以降で、過去にその時間内に最終キー入力が行われた回数が最も多い時間帯（例えば、図３の最終キー入力時間保存テーブル１３３ｂでは、タイマ残り時間が２５〜２０分の時間帯）が経過した時点（すなわち、例えば、タイマ残り時間が２０分の時点）を、２回目の映像出力低減時間と特定する。
また、ＣＰＵ１３１は、最終キー入力時間保存テーブル１３３ｂにおける音量調節のための最終キー入力時間の記録に基づいて、５分単位のタイマ残り時間のうち、過去にその時間内に最終キー入力が行われた回数が最も多い時間帯（例えば、図３の最終キー入力時間保存テーブル１３３ｂでは、タイマ残り時間が２０〜１５分の時間帯）が経過した時点（すなわち、例えば、タイマ残り時間が１５分の時点）を１回目の音声出力低減時間と特定する。そして、１回目の音声出力低減時間以降で、過去にその時間内に最終キー入力が行われた回数が最も多い時間帯（例えば、図３の最終キー入力時間保存テーブル１３３ｂでは、タイマ残り時間が１５〜１０分の時間帯）が経過した時点（すなわち、例えば、タイマ残り時間が１０分の時点）を、２回目の音声出力低減時間と特定する。
ＣＰＵ１３１による当該処理により特定された１回目・２回目の映像出力低減時間及び音声出力低減時間は、出力低減時間格納メモリ１３３ｃに出力されて格納される。具体的には、図４に示すように、１回目・２回目の映像出力低減時間及び音声出力低減時間は、到来する順番で出力低減時間Ａ〜Ｄが割り当てられ、出力低減時間としてのタイマ残り時間等のデータとともに記憶される。出力低減時間格納メモリ１３３ｃに記憶されたこれらのデータは、後述するオフタイマ制御プログラム１３４ｃの実行に際して、ＣＰＵ１３１により参照されることとなる。
また、当該出力低減時間格納メモリ１３３ｃは、最終キー入力時間保存テーブル１３３ｂが更新される度に、連動して更新されるようになっている。
【００３１】
オフタイマ制御プログラム１３４ｃは、例えば、ＣＰＵ１３１に、オフタイマ設定プログラム１３４ａの実行によりオフタイマの設定がなされた場合に、記憶プログラム１３４ｂの実行により記憶された映像切換のための最終キー入力時間を基準に、映像表示部１１により表示される映像の出力レベルを段階的に低減させ、記憶プログラム１３４ｂの実行により記憶された音量調節のための最終キー入力時間を基準に、音声出力部１２により出力される音声の出力レベルを段階的に低減させることにより、消費電力を低下させる機能を実現させるためのプログラムである。また、オフタイマ制御プログラム１３４ｃは、例えば、ＣＰＵ１３１に、電源が自動的にオフされる以前に、記憶プログラム１３４ｂの実行により記憶された最終キー入力時間に基づく所定の時間に、電源がオフされる旨を映像表示部１１に表示させ、映像表示部１１に電源がオフされる旨が表示されてから所定時間以内に、キー入力部１によるキー入力が無い場合に、オフタイマ設定プログラム１３４ａの実行により設定されたオフタイマの設定時間よりも前に電源をオフさせる機能を実現させるためのプログラムである。
ＣＰＵ１３１は、かかるオフタイマ制御プログラム１３４ｃを実行することにより、オフタイマ制御手段として機能する。
【００３２】
ここで、ＣＰＵ１３１による当該オフタイマ制御プログラム１３４ｃの実行について具体的に説明する。
ＣＰＵ１３１は、オフタイマ設定プログラム１３４ａの実行によりオフタイマが設定されると、最終キー入力時間保存テーブル１３３ｂに基づいて特定された映像の出力レベルを低減させるタイミングである映像出力低減時間と、音声の出力レベルを低減させるタイミングである音声出力低減時間と、をそれぞれ個別に記憶する出力低減時間格納メモリ１３３ｃを参照し、映像出力低減時間及び音声出力低減時間が割り当てられた出力低減時間Ａ〜Ｄを読み出す。そして、タイマ残り時間を監視して、出力低減時間Ａ〜Ｄの順に、タイマ残り時間が１回目／２回目の映像出力低減時間又は１回目／２回目の音声出力低減時間となった時点で、出力低減時間格納メモリ１３３ｃに格納されたデータに基づいて、映像又は音声の出力レベルを段階的に低減させる。
例えば、出力レベル低減前の出力レベルを１とした場合、ＣＰＵ１３１は、タイマ残り時間が出力低減時間Ａ（すなわち、１回目の映像出力低減時間）となった時点で、映像表示部１１により表示させる映像の出力レベルを２／３に低減させる。さらに、ＣＰＵ１３１は、タイマ残り時間が出力低減時間Ｂ（すなわち、２回目の映像出力低減時間）となった時点で、映像表示部１１により表示させる映像の出力レベルを１／３に低減させる。また、例えば、ＣＰＵ１３１は、タイマ残り時間が出力低減時間Ｃ（すなわち、１回目の音声出力低減時間）となった時点で、音声出力部１２により出力させる音声の出力レベルを２／３に低減させる。さらに、ＣＰＵ１３１は、タイマ残り時間が出力低減時間（すなわち、２回目の音声出力低減時間）となった時点で、音声出力部１２により出力させる音声の出力レベルを１／３に低減させる。
【００３３】
また、ＣＰＵ１３１は、オフタイマ設定時間の経過前であって、映像又は音声の出力レベルが最後（すなわち、例えば、２回目の映像／音声出力低減時間のタイミング）に低減されてから所定時間（例えば、５分）経過後（最終キー入力時間に基づく所定の時間）に、所定時間以内にキー入力が無い場合には、電源がオフされる旨を報知する電源オフ報知画面を映像表示部１１に表示させる。
図５は、当該オフタイマ制御プログラム１３４ｃの実行により、映像表示部１１に表示される電源がオフされる旨を報知する電源オフ報知画面の一例である。図５に示すように、電源オフ報知画面では、所定時間（例えば、６０秒）以内にキー操作が無い場合には、電源をオフする旨が表示されている。ＣＰＵ１３１は、このような電源オフ報知画面を映像表示部１１に表示させてから所定時間（例えば、６０秒）以内に、キー入力部１におけるユーザによるキー操作が無い場合には、オフタイマ設定プログラム１３４ａの実行により設定されたオフタイマの設定時間の経過を待たずに、当該所定時間が経過した時点で電源を自動的にオフさせる。また、所定時間以内にキー操作がある場合には、ＣＰＵ１３１は、例えば、オフタイマ設定プログラム１３４ａの実行により設定されたオフタイマの設定時間の経過後に電源を自動的にオフさせる。
また、ＣＰＵ１３１は、電源をオフする前に、ＲＡＭ１３２等の所定の記憶領域に記憶された映像切換のための最終キー入力時間と、音量調節のための最終キー入力時間とを、それぞれ個別に最終キー入力時間保存テーブル１３３ｂに記憶する。
ＣＰＵ１３１は、映像の出力レベルを、例えば、映像表示部１１のバックライト（図示省略）における輝度レベルや、映像処理部８における映像信号の輝度レベル等を低下させることにより低減させる。なお、映像の出力レベルの低減方法はこれに限られない。
【００３４】
図６は、ＣＰＵ１３１によるオフタイマ制御プログラム１３４ｃの実行における、映像及び音声の出力レベルの段階的な変化を例示する図である。図６において、縦軸は出力レベル低減前の出力レベルを１とした場合の出力レベル、横軸は時間を示している。また、実線は映像の変移を、点線は音声の変移を示している。
図６に示すように、ＣＰＵ１３１による上述したオフタイマ制御プログラム１３４ｃの実行において、映像表示部１１によりディスプレイ１１ａに表示される映像の出力レベル及び音声出力部１２によりスピーカ１２ａから出力される音声の出力レベルは、出力低減時間Ａ〜Ｄのタイミングで段階的に低減する。また、最後の出力低減時間（すなわち、出力低減時間Ｄ）の所定時間後（例えば、５分後）に行われる「所定時間（例えば、６０秒）以内にキー入力が無い場合には電源をオフさせる」旨の報知の後に、キー入力部１において当該所定時間以内にキー入力が行われなかった場合には、図６に示すように、オフタイマ設定プログラム１３４ａの実行により設定されたオフタイマのタイマ残り時間の経過を待たずに、自動的に電源がオフされることとなる。
【００３５】
次に、図７を参照しながら、ＣＰＵ１３１により実行されるオフタイマ制御処理について説明する。本オフタイマ制御処理は、オフタイマ設定プログラム１３４ａによりオフタイマが設定された際に、ＣＰＵ１３１がオフタイマ制御プログラム１３４ｃ及び記憶プログラム１３４ｂを実行することにより行われる。
【００３６】
まず、ＣＰＵ１３１は、ステップＳ１において、オフタイマの設定の有無を、オフタイマ設定メモリ１３３ａを参照することにより判断する。ＣＰＵ１３１は、ステップＳ１において、オフタイマの設定が有ると判断すると（ステップＳ１；Ｙｅｓ）、ステップＳ２において、オフタイマ設定メモリ１３３ａに格納されたオフタイマの設定時間を参照して、タイマ残り時間が０となったか否かを判断する。ＣＰＵ１３１は、ステップＳ２において、タイマ残り時間が０となったと判断すると（ステップＳ２；Ｙｅｓ）、ステップＳ１８に進む。一方、ＣＰＵは、ステップＳ２において、タイマ残り時間が０となっていないと判断すると（ステップＳ２；Ｎｏ）、続くステップＳ３において、キー入力部１におけるキー入力が有るか否かを判断する。ＣＰＵ１３１は、ステップＳ３において、キー入力が有ると判断すると（ステップＳ３；Ｙｅｓ）、ステップＳ４において、当該キーの入力時間を、映像切換のための最終キー入力時間又は音量調節のための最終キー入力時間として、ＲＡＭ１３２等の所定の記憶領域に記憶する。一方、ＣＰＵ１３１は、ステップＳ３において、キー入力が無いと判断すると（ステップＳ３；Ｎｏ）、ステップＳ５において、所定時間の間（例えば、３分間）キー入力部１におけるキー入力が無いか否かを判断する。ＣＰＵ１３１は、ステップＳ５において、所定時間の間キー入力が無いと判断すると（ステップＳ５；Ｙｅｓ）、続くステップＳ６において、出力低減時間格納メモリ１３３ｃを参照して、タイマ残り時間が出力低減時間Ａ未満である否かを判断する。ＣＰＵ１３１は、ステップＳ６において、タイマ残り時間が出力低減時間Ａ未満でないと判断すると（ステップＳ６；Ｎｏ）、ステップＳ１に戻り、一方、タイマ残り時間が出力低減時間Ａ未満であると判断すると（ステップＳ６；Ｙｅｓ）、ステップＳ７に進む。ステップＳ７において、ＣＰＵ１３１は、タイマ残り時間が出力低減時間Ｂ未満であるか否かを判断し、タイマ残り時間が出力低減時間Ｂ未満でないと判断すると（ステップＳ７；Ｎｏ）、ステップＳ８において、出力低減時間格納メモリ１３３ｃにおいて、出力低減時間Ａが対応付けられたデータに基づいて、映像又は音声の出力レベルを所定のレベルに（例えば、映像の出力レベルを１→２／３に）低減させる。一方、ＣＰＵ１３１は、ステップＳ７において、タイマ残り時間が出力低減時間Ｂ未満であると判断すると（ステップＳ７；Ｙｅｓ）、ステップＳ９において、タイマ残り時間が出力低減時間Ｃ未満であるか否かを判断し、タイマ残り時間が出力低減時間Ｃ未満でないと判断すると（ステップＳ９；Ｎｏ）、ステップＳ１０において、出力低減時間格納メモリ１３３ｃにおいて、出力低減時間Ｂが対応付けられたデータに基づいて、映像又は音声の出力レベルを所定のレベルに（例えば、映像の出力レベルを２／３→１／３に）低減させる。一方、ステップＳ９において、ＣＰＵ１３１は、タイマ残り時間が出力低減時間Ｃ未満であると判断すると（ステップＳ９；Ｙｅｓ）、ステップＳ１１において、タイマ残り時間が出力低減時間Ｄ未満であるか否かを判断し、タイマ残り時間が出力低減時間Ｄ未満でないと判断すると（ステップＳ１１；Ｎｏ）、ステップＳ１２において、出力低減時間格納メモリ１３３ｃにおいて、出力低減時間Ｃが対応付けられたデータに基づいて、映像又は音声の出力レベルを所定のレベルに（例えば、音声の出力レベルを１→２／３に）低減させる。ＣＰＵ１３１は、ステップＳ１１において、タイマ残り時間が出力低減時間Ｄ未満であると判断すると（ステップＳ１１；Ｙｅｓ）、ステップＳ１３において、出力低減時間格納メモリ１３３ｃにおいて、出力低減時間Ｄが対応付けられたデータに基づいて、映像又は音声の出力レベルを所定のレベルに（例えば、音声の出力レベルを２／３→１／３に）低減させる。
【００３７】
次に、ＣＰＵ１３１は、ステップＳ１４において、最後に出力レベルを低減させてから所定時間が経過したか否かを判断する。ＣＰＵ１３１は、ステップＳ１４において、所定時間が経過したと判断すると（ステップＳ１４；Ｙｅｓ）、ステップＳ１５において、所定時間以内にキー入力が無い場合には、電源を自動的にオフさせる旨を報知する電源オフ報知画面を映像表示部１１に表示させる。さらに、ＣＰＵ１３１は、ステップＳ１６において、電源オフ報知画面を表示させてから所定時間以内にキー入力が有るか否かを判断し、所定時間以内にキー入力が無い場合には（ステップＳ１６；Ｎｏ）、ステップＳ１８に進み、一方、所定時間以内にキー入力が有る場合には（ステップＳ１６；Ｙｅｓ）、ステップＳ１７において、オフタイマ設定メモリ１３３ａに格納されたオフタイマの設定時間を参照して、タイマ残り時間が０となったか否かを判断する。ＣＰＵ１３１は、ステップＳ１７において、タイマ残り時間が０となったと判断すると（ステップＳ１７；Ｙｅｓ）、ステップＳ１８に進む。
ステップＳ１８において、ＣＰＵ１３１は、ＲＡＭ１３２等の所定の記憶領域に記憶された映像切換のための最終キー入力時間と、音量調節のための最終キー入力時間と、を映像切換／音量調節のための最終キー入力時間として最終キー入力時間保存テーブル１３３ｂに記憶し、ステップＳ１９において、自動的にテレビジョン受像機１００の電源をオフさせ、本処理を終了する。
【００３８】
以上説明した本発明にかかるテレビジョン受像機１００によれば、キー入力部１はユーザによるキー入力を受け付け、ＣＰＵ１３１によるオフタイマ設定プログラム１３４ａの実行により、電源が自動的にオフされるオフタイマが設定され、記憶プログラム１３４ｂの実行により、オフタイマ設定プログラム１３４ａの実行によるオフタイマの設定後に、キー入力部１において行われた、映像切換のための最終キー入力時間と、音量調節のための最終キー入力時間と、がそれぞれ個別に記憶される。また、ＣＰＵ１３１によるオフタイマ制御プログラム１３４ｃの実行により、オフタイマ設定プログラム１３４ａの実行によるオフタイマの設定がなされた場合に、記憶プログラム１３４ｂの実行により記憶された映像切換のための最終キー入力時間を基準に、映像表示部１１により表示される映像の出力レベルが段階的に低減され、記憶プログラム１３４ｂの実行により記憶された音量調節のための最終キー入力時間を基準に、音声出力部１２により出力される音声の出力レベルが段階的に低減されることにより、消費電力が低下される。従って、オフタイマ設定後の過去のユーザの視聴状況に合わせたより細かいオフタイマ制御が行われることとなり、ユーザの視聴状況に適したオフタイマ機能を低コストで実現することができ、これにより省電力化をより図ることができる映像表示装置を提供することができる。
さらに、ＣＰＵ１３１によるオフタイマ制御プログラム１３４ｃの実行により、電源が自動的にオフされる以前に、記憶プログラム１３４ｂの実行により記憶された最終キー入力時間に基づく所定の時間に、電源がオフされる旨が映像表示部１１に表示され、映像表示部１１に電源がオフされる旨が表示されてから所定時間以内に、キー入力部１によるキー入力が無い場合に、オフタイマ設定プログラム１３４ａの実行により設定されたオフタイマの設定時間よりも前に電源をオフされる。従って、より高い確率でユーザが眠った状態で電源をオフさせることができることとなって、電源が突然オフされることによりユーザに与え得る不快感を防止できるとともに、オフタイマの設定時間よりも前に電源がオフされることとなり、更なる消費電力の低減及びオフタイマ機能の使い勝手の向上を図ることができる。
【００３９】
なお、本発明は上記実施の形態に限られることなく、本発明の趣旨を逸脱しない範囲において、種々の改良並びに設計の変更を行っても良い。
例えば、報知手段の実行における電源がオフされる旨の報知は、音声ガイダンスや電子音等により行う構成であっても良い。
また、低減させる出力レベルは上述したものに限られない。例えば、出力レベルは、上述したように出力レベル低減前を基準として低減させるものに限られず、予め設定されたレベルに低減させる方法や、ユーザの設定したレベルに低減させる方法であっても良い。さらに、出力レベルを低減させる回数も上述した回数に限られない。
また、電源オフ報知画面の表示後に所定のキー入力があった場合には、オフタイマの設定時間を延長するように構成しても良い。
また、最終キー入力時間や出力低減時間は、タイマ残り時間を基準とする時間でなくともよく、例えば、オフタイマを設定してからの経過時間を基準とする時間であっても良い。
また、本実施形態において、オフタイマ制御中に、所定時間の間キー入力が無い場合にのみ映像・音声の出力レベルが低減される場合について説明したが、連続してキー入力が有る場合であっても、特定された出力低減時間になると出力レベルが低減される構成であっても良い。
また、本実施形態において、記憶プログラム１３４ｂの実行により記憶された映像切換／音量調節のための最終キー入力時間を基準に特定される出力低減時間は、５分単位のタイマ残り時間のうち、過去にその時間内に最終キー入力が行われた回数が最も多い時間帯が経過した時点を１回目の出力低減時間とし、１回目の映像出力低減時間以降で、過去にその時間内に最終キー入力が行われた回数が最も多い時間帯が経過した時点を２回目の出力低減時間と特定する方法を用いて説明したが、出力低減時間の定め方はこの方法に限られることなく、任意に選択することができる。例えば、最終キー入力が行われた時間帯のうち、最後の時間帯が経過した時点を出力低減時間として特定しても良い。また、例えば、数分単位で記録される最終キー入力の回数が、所定の閾値を下回ったときを出力低減時間として特定しても良い。
【図面の簡単な説明】
【００４０】
【図１】本発明にかかるテレビジョン受像機の要部構成を示すブロック図である。
【図２】オフタイマ設定プログラムの実行に際して、映像表示部のディスプレイに表示されるオフタイマ設定画面の一例である。
【図３】最終キー入力時間を記憶する最終キー入力時間保存テーブルの一例である。
【図４】図３に例示した最終キー入力時間保存テーブルに基づいて特定された出力低減時間を記憶する出力低減時間格納メモリの一例である。
【図５】オフタイマ制御プログラムの実行により、映像表示部に表示される電源オフ報知画面の一例である。
【図６】ＣＰＵによるオフタイマ制御プログラムの実行における、映像及び音声の出力レベルの段階的な変化を例示する図である。
【図７】ＣＰＵにより実行されるオフタイマ制御処理を例示するフローチャートである。
【符号の説明】
【００４１】
１００    テレビジョン受像機（映像表示装置）
１        キー入力部
１１      映像表示部
１２      音声出力部
１３１    ＣＰＵ（オフタイマ設定手段、記憶手段、オフタイマ制御手段）
１３４ａ  オフタイマ設定プログラム（オフタイマ設定手段）
１３４ｂ  記憶プログラム（記憶手段）
１３４ｃ  オフタイマ制御プログラム（オフタイマ制御手段）
【図１】
2008103934.tif 000003
【図２】
2008103934.tif 000004
【図３】
2008103934.tif 000005
【図４】
2008103934.tif 000006
【図５】
2008103934.tif 000007
【図６】
2008103934.tif 000008
【図７】
2008103934.tif 000009